(57)【要約】      （修正有）【課題】指の締め付けを抑制し、指への負担を軽減することができる包装袋を提供すること。【解決手段】被包装体を収容する本体部と、前記本体部の上端に設けられた持手２０と、前記持手２０に設けられた指掛部３０と、前記指掛部３０の上方に形成された一対のスリットとを有し、前記一対のスリットは、前記指掛部３０から前記持手部の上端に向かって傾斜して前記一対のスリットの間隔が前記持手２０の長手方向に広がるように延びる包装袋。【選択図】図１
2018104084.tif 000002
【特許請求の範囲】
【請求項１】
被包装体を収容する本体部と、
前記本体部の上端に設けられた持手部と、
前記持手部に設けられた指掛部と、
前記指掛部の上方に形成された一対のスリットとを有し、
前記一対のスリットは、前記指掛部から前記持手部の上端に向かって傾斜して前記一対のスリットの間隔が前記持手部の長手方向に広がるように延びる、包装袋。
【請求項２】
前記一対のスリットの各スリットは、所定の長さを有する切り込み、または、該所定の長さよりも短い長さの複数の切り込みで構成されている、請求項1に記載の包装袋。
【請求項３】
前記一対のスリット間の角度が９０°〜１５０°である、請求項２に記載の包装袋。
【請求項４】
前記一対のスリットと前記指掛部との間の最近接距離が３ｍｍ〜１０ｍｍである、請求項３に記載の包装袋。
【請求項５】
前記一対のスリットが、一対の第１スリットと一対の第２スリットで構成されている、請求項２に記載の包装袋。
【請求項６】
前記第１スリットの前記第２スリットに近接する側の端部は、前記持手部の上端に向かって凸状に形成されている、請求項５に記載の包装袋。
【請求項７】
前記所定の長さよりも短い長さの複数の切り込みがミシン目である、請求項２乃至６のいずれか１項に記載の包装袋。
【請求項８】
前記指掛部は、前記持手部の高さ方向の中央より下方に位置する、請求項２乃至６のいずれか１項に記載の包装袋。
【請求項９】
前記一対のスリットの前記持手部の上端側の端部の上方に補強部が設けられている、請求項２に記載の包装袋。
【請求項１０】
前記補強部は、前記持手部の上端に向かって凸状に形成されている、請求項９に記載の包装袋。
【請求項１１】
前記補強部は、前記持手部の長手方向に延びる直線状に形成されている請求項９に記載の包装袋。
【請求項１２】
前記補強部は、前記一対のスリットに近接する第１補強部と前記第１補強部と所定の間隔をあけて設けられた第２補強部で構成されている、請求項９乃至１１のいずれか１項に記載の包装袋。
【発明の詳細な説明】
【技術分野】
【０００１】
本発明は、包装袋に関する。
【背景技術】
【０００２】
トイレットペーパー等の物品は、樹脂等のフィルムで形成された包装袋に複数収容された状態で流通する。この包装袋には、トイレットペーパー等の購入者が持ち帰る際に、トイレットペーパー等を持ち運ぶことができるように指掛用の穴を備える持手部が設けられている（図１１、図１２参照）。
【０００３】
例えば、特開２００５−８２４８号公報（特許文献１）には、被包装体として複数個のトイレットペーパー等のロール製品を収容する包装体が開示されている。この包装体では、ロール製品が収容される本体部の上端側に持手部が設けられており、持手部にはさらに二つの指掛け穴が設けられている。
【先行技術文献】
【特許文献】
【０００４】
【特許文献１】特開２００５−８２４８号公報
【発明の概要】
【発明が解決しようとする課題】
【０００５】
しかしながら、特許文献１に開示された従来の包装袋は、被包装体の重量や被包装体が収容された包装袋の持ち方等により、持ち運びの際に指掛け穴の形状が変化し、持手部に指が締め付けられて指が痛くなる等、指に負担がかかる場合がある。また、包装袋の材料となるフィルムは、巻かれた状態で管理されるため、圧縮されて固くなっていることが多く、このように固くなったフィルムで形成された持手部の指掛け穴に指を掛ける場合に、指が締め付けられると、指への負担がさらに大きくなる。このように、従来の包装袋では、持ち運びの際に指が締め付けられ、指への負担が大きいものとなっていた。
【０００６】
本発明の目的は、指の締め付けを抑制し、指への負担を軽減することができる包装袋を提供することにある。
【課題を解決するための手段】
【０００７】
上記課題を解決するため、本発明の第１の態様は、被包装体を収容する本体部と、本体部の上端に設けられた持手部と、持手部に設けられた指掛部と、指掛部の上方に形成された一対のスリットとを有し、一対のスリットは、指掛部から前記持手部の上端に向かって傾斜して前記一対のスリットの間隔が持手部の長手方向に広がるように延びる、包装袋とする。
【０００８】
本体部は、被包装体が収容される包装袋の本体を構成する。本体部は、樹脂等のフィルムで形成することができる。本体部に収容される被包装体は、特に限定されるものではなく、例えば、トイレットペーパー、キッチンペーパー、ベビー用または介護用の紙おむつ、生理用ナプキン等の物品を例示することができる。また、被包装体の形態は、特に限定されず、ロール状、積層状等の形態である。さらに、本体部に被包装体を構成する物品を収容する場合には、収容される物品は１つに限らず、複数であってもよい。
【０００９】
持手部は、本体部の上端に設けられており、包装体の一部を構成する。持手部は、樹脂等のフィルムで構成することができ、フィルムの材質は本体部と同様の材質にしてもよい。持手部には、指掛部が設けられている。
【００１０】
指掛部は、物品の購入者（以下ユーザという）が持手部を持つ際に、指を掛ける部分である。指掛部は持手部を貫通する孔で形成することができる。なお、持手部に設けられる指掛部は、複数の孔で形成してもよい。また、持手部を貫通する孔は、持手部に最初から設けられていてもよく、またミシン目等の切り込みを入れておき、ユーザが物品の購入時にこの切り込み等を破って自ら開ける態様にしてもよい。
【００１１】
一対のスリットは、指掛部の上方に形成されている。一対のスリットは、指掛部から持手部の上端に向かって傾斜して一対のスリットの間隔が持手部の長手方向に広がるように延びる構成を有する。
【００１２】
第１の態様では、このような一対のスリットが指掛部の上方に形成されているため、ユーザが持手部の指掛部に指を掛けた状態で、ユーザの指が締め付けられる程の力が指掛部にかかると、指掛部から一対のスリットにかけて持手部の一部が破れ、持手部の長手方向に指掛部が広がるように拡張される。そのため、被包装体が収容された包装袋を持ち運ぶ場合に、ユーザの指への締め付けが抑制される。
【００１３】
また、持手部の一部が破れた後は、破れた持手部の一部が指と指掛部との間で緩衝材の役割を果たすことができる。そのため、被包装体が収容された包装袋を持ち運ぶ場合に、ユーザの指にかかる締め付け力を小さくすることができる。
【００１４】
このように、第１の態様によれば、ユーザが持手部の指掛部に指を掛けて被包装体が収容された包装袋を持ち運ぶ場合に、ユーザの指への負担を軽減することができる。
【００１５】
第２の態様では、各スリットが、所定の長さを有する切り込み、または、該所定の長さよりも短い長さの複数の切り込みで構成されている。スリットを所定の長さを有する切り込みで構成することにより、ユーザの指に締め付け力が加わって指掛部の一部が破れる際に、指掛部から一対のスリットに向かって持手部が破れ易くなるため、持手部が長手方向に広がるように拡張され易くなる。また、スリットを所定の長さよりも短い長さの複数の切り込みで構成することにより、包装袋に収容された被包装体の重量、包装袋の持ち方、ユーザの体格（手の大きさ）等に応じて、拡張される指掛部の開口の大きさ（拡張範囲）を徐々に変えることができる。
【００１６】
第３の態様では、一対のスリット間の角度を９０°〜１５０°としている。一対のスリット間の角度をこのような角度範囲にすることにより、ユーザの指への締め付けを確実に抑制することができ、しかも、ユーザの指が締め付けられる程の力が指掛部にかかったときに、指掛部から一対のスリットに沿って持手部が破れるため、指掛部を確実に拡張することができる。
【００１７】
なお、一対のスリット間の角度が９０°未満の場合は、指への締め付け力が小さくても、持手部の一部が破れて指掛部か拡張されるため、却って持手部が持ちづらくなる。また、一対のスリット間の角度が１５０°を超える場合は、指への締め付け力が生じても、持手部の一部が破れず、指掛部か拡張されない可能性がある。
【００１８】
第４の態様では、一対のスリットと指掛部との間の最近接距離を３ｍｍ〜１０ｍｍとしている。ここで、最近接距離は一対のスリットと指掛部との間で最も近い距離を示す。かかる最近接距離をこのような距離範囲にすることにより、指への締め付け力がかかったときでも、締め付け力が小さいときは持手部の一部は破れず、締め付け力が大きくなったときに破れる。そのため、指が痛くなる程度の締め付け力が指にかかったときに、指掛部からスリットにかけて持手部の一部が破れて指掛部を拡張させることができる。なお、一対のスリットと指掛部との間の最近接距離が３ｍｍ未満の場合は、わずかな締め付け力が指にかかったときでも持手部が破れ、１０ｍｍを超える場合は、大きな締め付け力が指にかかったときでも持手部が破れないおそれがある。
【００１９】
第５の態様は、一対のスリットが、一対の第１スリットと一対の第２スリットとで構成されている。一対のスリットをこのような２種類のスリットで構成することにより、指に締め付け力がかかった際に、指掛部から一対のスリットにかけて持手部の一部が２段階で破れることができる。そのため、包装袋に収容された被包装体の重量、包装袋の持ち方、ユーザの体格（手の大きさ、指の長さ）等によって指に加わる締め付け力が異なる場合でも、その締め付け力に応じて、拡張される指掛部の開口の大きさを変えることができる。
【００２０】
第６の態様では、第１スリットの第２スリットに近接する側の端部が、持手部の上端に向かって凸状に形成されている。第１スリットをこのような形態にすることにより、指掛部から第１スリットにかけて持手部の一部が破れた際に、破れた勢いをこの第１スリットの端部で吸収することができる。そのため、指掛部から第２スリットにかけて持手部の一部が破れるような大きな締め付け力が指に加わった場合にだけ、第２スリットが設けられた位置まで持手部の一部が破れるようにすることができる。
【００２１】
第７の態様では、各スリットを構成する切り込みが所定の長さよりも短い長さの複数の切り込みである場合、該切り込みがミシン目で構成されている。一対のスリットをこのようなミシン目で構成することにより、指に加わる締め付け力に応じて、ミシン目が徐々に切れる。そのため、各スリットの切り込みをこのようなミシン目で構成することにより、包装袋に収容された被包装体の重量、包装袋の持ち方、ユーザの体格（手の大きさ）等に応じて、拡張される指掛部の開口の大きさ（拡張範囲）を徐々に変えることができる。
【００２２】
第８の態様では、指掛部が持手部の高さ方向の中央より下方に位置する構成を有する。持手部の高さ方向の中央とは、持手部の高さ方向の幅Ｌに対して持手部の上端から高さ方向にＬ／２離れた位置である。この構成により、指掛部の上方に一対のスリットが設けられる領域を確保することができるため、一対のスリットの形成が容易になる。
【００２３】
第９の態様では、一対のスリットの持手部の上端側の端部の上方に補強部が設けられている。補強部は、ヒートシール等の融着部で構成することができる。このような補強部を設けることにより、一対のスリットの持手部の上端側の端部が破れて、指掛部の拡張範囲が大きくなり過ぎたり、また持手部が破断したりするのを防ぐことができる。
【００２４】
第１０の態様では、補強部が持手部の上端に向かって凸状に形成されている。すなわち補強部はスリットに対して凹となるように形成されている。補強部をこのような形状にすると、スリットの端部から補強部の端部に沿ってさらに持手部が破断するのを抑制することができる。
【００２５】
第１１の態様では、補強部が持手部の長手方向に延びる直線状に形成されている。このような構成により、補強部を一対のスリットの持手部の上端側の端部の上方に確実に設けることができる。
【００２６】
第１２の態様では、補強部は、一対のスリットに近接する第１補強部と、該第１補強部と所定の間隔をあけて設けられた第２補強部とから構成されている。このような２種類の補強部で構成された補強部は、凸状に形成された補強部（第９の態様）及び直線状に形成された補強部（第１０の態様）のいずれの場合にも採用することができる。補強部をこのような２つの補強部で構成することにより、第１補強部が形成された部分で持手部が破断した場合でも、第２補強部により持手部がさらに破断するのを防ぐことができる。そのため、持手部が破断して指掛部に指がかけられない状態になるのを抑制することができる。
【発明の効果】
【００２７】
本発明の一態様によれば、指の締め付けを抑制し、指への負担を軽減することができる包装袋を提供することができる。
【図面の簡単な説明】
【００２８】
【図１】本発明の実施形態に係る包装袋を示す図である。
【図２】本実施形態に係る包装袋（第１実施形態）の持手部を示す図である。
【図３】本実施形態に係る包装袋を持った状態における手と持手部の関係を示す図である。
【図４】本実施形態に係る包装袋（第２実施形態）の持手部を示す図である。
【図５】本実施形態に係る包装袋（第３実施形態）の持手部を示す図である。
【図６】本実施形態に係る包装袋（第４実施形態（実施例１））の持手部を示す図である。
【図７】本実施形態に係る包装袋（第５実施形態（実施例２））の持手部を示す図である。
【図８】本実施形態に係る包装袋（第６実施形態（実施例３））の持手部を示す図である。
【図９】従来の包装袋（比較例１）の持手部を示す図である。
【図１０】従来の包装袋（比較例２）の持手部を示す図である。
【図１１】従来の包装袋を示す図である。
【図１２】従来の包装袋の持手部を示す図である。
【図１３】従来の包装袋を持った状態における手と持手部の関係を示す図である。
【発明を実施するための形態】
【００２９】
以下、本発明の実施の形態について、図面を参照しながら詳細に説明する。図１は、本発明の実施形態の一例（第１実施形態）に係る包装袋を示す図である。図２は、第１実施形態に係る包装袋の持手部を示す図である。なお、以下に示す説明では、各図において共通する部分については、同一の符号を付して説明を省略する場合がある。
【００３０】
図１及び図２において、包装袋１００は、袋本体１０、持手２０、指掛部３０、スリット４０を備えている。この包装袋１００は、本発明の包装袋の一例である。
【００３１】
袋本体１０には、被包装袋の一例としてロール状のトイレットペーパーＴを１２個収容することができる。袋本体１０は、ポリエチレン等の樹脂フィルムまたはポリエチレン等とその他の樹脂を積層した積層体の樹脂フィルム等で形成されている。袋本体１０は、この樹脂フィルムがサイドシールにより袋状にされ、袋状になった樹脂フィルムがガセット状に折り込まれた構造になっている（図１参照）。なお、袋本体１０は、本発明の包装袋の本体を構成する本体部の一例である。
【００３２】
持手２０は、包装袋１００の一部を構成し、袋本体１０と同様に、樹脂フィルム等で形成されている。持手２０は、上述のガゼット状に折り込まれた樹脂フィルムを持手成形用の熱版で型押しすることにより、袋本体１０の上端部に形成される。持手２０は、ガゼット状に折り込まれた樹脂フィルムが、持手２０の長手方向（図２の左右方向）の両端部では４枚重ねで、持手２０の中央付近では２枚重ねで、それぞれヒートシール５０で接着されている。また、持手２０には、持手２０を取り付けた袋本体１０が包装袋１００の製造時または流通時に破裂しないように、袋本体１０と連通する空気穴６０（図６〜図８参照）が設けられている。なお、持手２０は、本発明の包装袋の一部を構成する持手部の一例である。
【００３３】
持手２０には、ユーザＰが持手２０を持つ際に指を掛けるための指掛部３０が設けられている（図３参照）。指掛部３０は、図２に示すように、楕円形状または長方形状に類似した形状を有する２つの指掛部３１、３２で構成されている。２つの指掛部３１、３２は、持手２０の高さ方向の略中央部に位置し、持手２０の長さ方向に所定の間隔をあけて配置されている。指掛部３０（２つの指掛部３１、３２）は、ユーザＰが持手２０を持つ際にユーザＰの指が掛かるように形成されている。なお、指掛部３０は、本発明の包装袋において持手部に設けられる指掛部の一例である。
【００３４】
また、持手２０には、指掛部３０を覆う図示しない補強フィルムを設けてもよい。この補強フィルムは、ポリエチレン等の樹脂フィルムで形成することができる。このような補強フィルムを設けることにより、持手２０の指掛部３０が設けられる部分を補強することができる。
【００３５】
また、持手２０には、予め切り込み（ミシン目Ｍ１）が設けられており、ユーザＰがトイレットペーパーＴの購入時にこのミシン目Ｍ１を破って自ら開けられるようになっている（図６参照）。このミシン目Ｍ１が破られた後、指掛部３０は持手２０を貫通する孔となる。ミシン目Ｍ１は、図２に示すように指掛部３０の周囲のうち上端の一部には入っていない。このようにすると、切り離された部分は、一部が持手２０に連結されたままになる。持手２０から完全に切り離された場合は、切り離された部分は破棄する等の処分が必要となるが、このように一部を連結したままにすれば廃棄等の必要はなくなる。
【００３６】
指掛部３０の上方には、スリット４０が形成されている。第１実施形態では、図２に示すように、指掛部３１、３２の上方に、それぞれスリット４０として一対のスリット４１、４２が形成されている。一対のスリット４１、４２は、指掛部３０から持手２０の上端２１に向かって持手２０の長手方向（図２の左右方向）に広がるように延びている。すなわち、一対のスリット４１、４２は、指掛部３０から持手２０の上端２１に向かって放射状に広がるように延びている。
【００３７】
図２に示す第１実施形態では、指掛部３０の上方にスリット４０（一対のスリット４１、４２）が形成されているため、ユーザＰが持手２０の指掛部３０に指を掛けた状態で、ユーザＰの指がトイレットペーパーＴの重みで締め付けられると、樹脂フィルムの指に当っている部分に破断に至る力が作用する。これにより、指掛部３０から一対のスリット４１、４２に沿って持手２０が破れ、破れた持手２０の部分だけ指掛部３０が拡張される。その結果、トイレットペーパーＴ等の被包装体が収容された包装袋１００を持ち運ぶ場合に、ユーザＰの指への締め付けが抑制される（図３参照）。
【００３８】
また、指掛部３０から一対のスリット４１、４２に沿って持手２０が破れた後は、破れた持手２０の一部がユーザＰの指と指掛部３０との間に介在して緩衝材の機能を果たすことができる。そのため、複数個のロール状のトイレットペーパーＴ等の被包装体が収容された状態で包装袋を持ち運ぶ場合に、ユーザＰの指にかかる締め付ける力（圧力）を小さくすることができる。
【００３９】
このように、図２に示す第１実施形態では、ユーザＰの指に対する圧力を和らげることできる。したがって、ユーザＰが持手２０の指掛部に指を掛けて被包装体が収容された包装袋を持ち運ぶ場合に、ユーザＰの指への負担を軽減することができる。
【００４０】
なお、一対のスリット４１、４２間の角度は、好ましくは９０°〜１５０°とし、より好ましくは１１５°〜１３５°とする。一対のスリット４１、４２間の角度をこのような角度範囲にすることで、ユーザＰの指への締め付けを確実に抑制することができる。また、ユーザの指が強く締め付けられる程の力が指掛部３０にかかったときに、指掛部３０から一対のスリット４１、４２に沿って持手２０が破れるため、指掛部３０が確実に拡張される。
【００４１】
なお、一対のスリット４１、４２間の角度が９０°未満の場合は、指への締め付け力が小さくても、持手部の一部が破れて指掛部か拡張されるため、却って持手部が持ちづらくなる。また、一対のスリット４１、４２間の角度が１５０°を超える場合は、指への締め付け力が生じても、持手部の一部が破れず、指掛部か拡張されない可能性がある。
【００４２】
第１実施形態では、一対のスリット４１、４２と指掛部３０との間の最近接距離を、好ましくは３ｍｍ〜１０ｍｍとし、より好ましくは４ｍｍ〜８ｍｍとしている。一対のスリット４１、４２と指掛部３０との間の最も近い距離をこのような距離範囲にすることで、指に締め付け力がかかった際に、締め付け力が小さいときは持手部の一部は破れず、締め付け力が大きくなったときに破れる。そのため、指が痛くなる程度の大きな締め付け力が指にかかったときだけ、指掛部３０から一対のスリット４１、４２にかけて持手２０の一部が破れて指掛部３０を拡張させることができる。
【００４３】
なお、一対のスリット４１、４２と指掛部３０との間の最近接距離が３ｍｍ未満の場合は、わずかな締め付け力が指にかかったときでも持手２０が破れ、１０ｍｍを超える場合は、大きな締め付け力が指にかかったときでも持手２０が破れないおそれがある。
【００４４】
また、一対のスリット４１、４２は、指掛部３０と同様に、切り込み（ミシン目Ｍ２）で構成されている。このような切り込みで構成された一対のスリット４１、４２は、ユーザＰの指に加わる締め付け力に応じで、切れ込みが切れる。本実施形態では、特に切り込みがミシン目Ｍ２で構成されているため、指に加わる締め付け力によって、徐々に切り込みが切れていく。そのため、包装袋１００に収容されたトイレットペーパーＴ等の被包装体の重量、包装袋１００の持ち方、ユーザＰの体格（手の大きさ）等に応じて、指掛部３０の開口の大きさ（拡張範囲）が徐々に変わる。
【００４５】
図４は、本実施形態の他の一例（第２実施形態）に係る包装袋の持手部を示す図である。第２実施形態では、一対のスリット４１、４２の端部４１ａ、４２ａ（持手２０の上端２１側の端部）の上方には、融着部７０が設けられている。融着部７０は、１つの指掛部３０に対して一対の融着部７０、７０として配置されている。融着部７０は、ヒートシール５０と同様のヒートシールで構成されている。なお、融着部７０は、本発明に係る包装袋の持手部に形成された補強部の一例である。
【００４６】
このような融着部７０の存在により、ユーザＰの指に締め付け力がかかった際に、一対のスリット４１、４２の端部４１ａ、４２ａが破れても、融着部７０によりそれ以上破れることを止めることができる。そのため、指掛部３０の拡張範囲が大きくなり過ぎて、持手２０が持ち難くなるのを防ぐことができる。さらに、ユーザＰの指に大きな締め付け力が加わった際に、一対のスリット４１、４２の端部４１ａ、４２ａから持手２０の上端２１にかけて持手２０が破断するのを防ぐことができる。
【００４７】
また、融着部７０の形状は、持手２０の上端２１に向かって凸状になっている。言い換えると、融着部７０は、一対のスリット４１、４２に対して凹部となるように形成されている。このような形状の融着部７０が存在することで、進行する破断の先端が凹部の内側にあると、破断の進行方向が多少変化しても、この破断の先端が凹部の融着部にぶつかるため、一対のスリット４１、４２の端部４１ａ、４２ａから融着部７０の内側端部７０ａに沿ってさらに持手２０が破断するのを抑制することができる。
【００４８】
図５は、本実施形態の他の一例（第３実施形態）に係る包装袋の持手部を示す図である。第３実施形態では、指掛部３０が持手２０の高さ方向（図５の上下方向）の中央より下方に配置されている。また、指掛部３０の配置位置に合わせて、融着部７０も、図４の第２実施例と比較して、下方に配置されている。指掛部３０をこのような位置に形成することにより、指掛部３０の上方にスリット４０（一対のスリット４１、４２）及び融着部７０が設けられる領域を十分に確保することができる。そのため、スリット４０（一対のスリット４１、４２）および融着部７０の形成が容易になる。
【００４９】
図６は、本実施形態の他の一例（第４実施形態）に係る包装袋の持手部を示す図である。第４実施形態では、指掛部３０が楕円形状に類似した形状を有する２つの指掛部で構成されている。さらに２つの指掛部３０、３０は、該楕円が略左右対称となるように傾斜して配置されている。第４実施形態では、袋本体１０と連通する空気穴６０が設けられている。
【００５０】
第４実施形態では、融着部７０は、第１融着部７１と第２融着部７２からなる２種類の融着部で構成されている。第１融着部７１は、スリット４０（一対のスリット４１、４２）に近接する位置に配置され、第２融着部７２は、指掛部３０との間に第１融着部７１を挟むように第１融着部７１に対して所定の間隔をあけて配置されている。なお、第１融着部７１及び第２融着部７２は、本発明の包装袋の持手２０に形成された第１補強部及び第２補強部の一例である。
【００５１】
このような２種類の融着部を設けることで、第１融着部７１が形成された部分で持手２０が破断した場合でも、第２融着部７２によって持手２０がさらに破断するのを防ぐことができる。そのため、持手２０が大きく破断して持手２０が持ちづらい状態または持手２０が持てない状態になるのを防ぐことができる。
【００５２】
図７は、本実施形態の他の一例（第５実施形態）に係る包装袋の持手部を示す図である。第５実施形態では、指掛部３０が１つの指掛部で構成されている。そして、第５実施形態では、融着部７０が持手２０の長手方向に延びる直線状に形成されている。融着部７０をこのような直線状に配置することにより、補強部となる融着部７０を一対のスリット４１、４２の端部４１ａ、４２ａの上方に確実に配置することできる。
【００５３】
図８は、本実施形態の他の一例（第６実施形態）に係る包装袋の持手部を示す図である。第６実施形態では、指掛部３０が１つの指掛部で構成され、さらに指掛部３０が持手２０の長手方向に延びる直線状の指掛部３０で構成されている。直線状の指掛部３０も、切り込み（ミシン目Ｍ１）で形成されている。
【００５４】
第６実施形態では、スリット４０が、一対のスリット４１、４２（一対の第１スリット）と一対のスリット４３、４４（一対の第２スリット）とで構成されている。一対の第１スリット４１、４２と一対の第２スリット４３、４４とは所定の間隔をあけて配置されている。具体的には、一対の第１スリット４１、４２は、指掛部３０の直上に配置されており、一対の第２スリット４３、４４は、一対の第１スリット４１、４２の上方に（一対の第１スリット４１、４２の切り込みの方向の延長線方向に）配置されている。スリット４０をこのような２種類のスリット（一対の第１スリット４１、４２及び一対の第２スリット４３、４４）で構成することにより、ユーザＰの指に締め付け力がかかった際に、指掛部から一対のスリットにかけて持手部の一部が２段階で破れることとなる。
【００５５】
例えば、指への締め付け力が比較的小さい場合は、指掛部３０から一対の第１スリット４１、４２にかけて持手２０の一部が破れ、さらに指への締め付け力が比較的大きい場合に、一対の第２スリット４３、４４にかけて持手２０がさらに破れる。そのため、包装袋１００に収容されたトイレットペーパーＴ等の被包装体の重量、包装袋１００の持ち方、ユーザＰの体格（手の大きさ、指の長さ）等によって指に加わる締め付け力が異なるときでも、その締め付け力に応じて、拡張される指掛部の開口の大きさを変えることができる。
【００５６】
また、第６実施形態では、一対の第１スリット４１、４２の端部４１ａ、４２ａ（一対の第２スリット４３、４４に近接する側の端部）が、持手２０の上端２１に向かって凸状に形成されている。一対の第１スリット４１、４２の端部４１ａ、４２ａをこのような形状にすると、指掛部３０から一対の第１スリット４１、４２にかけて持手２０の一部が破れた際に、破れた勢いは第１スリット４１、４２の端部４１ａ、４２ａに吸収される。
【００５７】
すなわち、第６実施形態では、指掛部３０から一対の第１スリット４１、４２にかけて持手２０が破れる程度の締め付け力が指に加わった場合に、指掛部３０から第１スリット４１、４２にかけて持手２０の一部が破れた勢いで、一対の第２スリット４３、４４が設けられた位置まで持手２０が一気に破れること防ぐことができる。そのため、指掛部３０から一対の第２スリット４３、４４にかけて持手２０が破れる程度の大きな締め付け力が指に加わった場合にだけ、一対の第２スリット４３、４４が設けられた位置まで持手２０の一部が破れるようにすることができる。
【実施例】
【００５８】
以下、本発明の実施形態について、実施例と比較例を参照しながら説明する。
［実施例１］
実施例１として、図６に示す第４実施形態の包装袋１００を用いた。実施例１では、包装袋１００を、厚み２５μｍのポリエチレンのフィルムで製袋機により作製した。実施例１では、指掛部が楕円形状に類似した形状を有する２つの指掛部３０、３０で構成した。各指掛部３０は、持手２０の高さ方向の中央より下方に配置した。各指掛部３０には、指掛部３０の周囲のうち上端の一部を残すようにミシン目Ｍ１を入れた。２つの指掛部３０、３０は、楕円形状に類似した形状が略左右対称となるように傾斜して配置した。２つの指掛部３０の上方には、それぞれスリット４０（一対のスリット４１、４２）を形成した。一対のスリット４１、４２の端部４１ａ、４２ａ（持手２０の上端２１側の端部）の上方には、融着部７０を形成した。融着部７０は、２種類の融着部（第１融着部７１と第２融着部７２）で構成し、各融着部７０は、スリット４０に対して凹となるように形成した。実施例１では、一対のスリット４１、４２間の角度を約１２５°にした。スリット４０（一対のスリット４１、４２）と指掛部３０との間の最近接距離は約５ｍｍにした。実施例１の包装袋１００の各部の寸法（ｍｍ単位）は、図６に示す。
［実施例２］
実施例２として、図７に示す第５実施形態の包装袋１００を用いた。実施例２では、指掛部を１つの指掛部３０で構成し、各融着部７０を持手２０の長手方向に延びる直線状に形成した以外は、実施例１と同様に作製した。実施例２の包装袋１００の各部の寸法（ｍｍ単位）は、図７に示す。
［実施例３］
実施例３として、図８に示す第６実施形態の包装袋１００を用いた。実施例３では、指掛部を持手２０の長手方向に延びる直線状の指掛部３０で構成し、スリット４０を２種類のスリット（一対の第１スリット４１、４２と一対の第２スリット４３、４４）で構成し、さらに一対の第１スリット４１、４２の端部４１ａ、４２ａ（一対の第２スリット４３、４４と近接する側の端部）を持手２０の上端２１に向かって凸状に形成した以外は、実施例２と同様に作製した。実施例３の包装袋１００の各部の寸法（ｍｍ単位）は、図８に示す。
［比較例１］
比較例１として、図９に示す持手２０を備える包装袋１００を用いた。比較例１では、２つの指掛部３０、３０を持手２０の高さ方向の略中央に配置し、スリット４０および融着部７０を形成しなかった以外は、実施例１と同様に包装袋１００を作製した。比較例１の包装袋１００の各部の寸法（ｍｍ単位）は、図９に示す。
［比較例２］
比較例２として、図１０に示す持手２０を備える包装袋１００を用いた。比較例２では、各指掛部３０（指掛部３１、３２）間の距離を長くし（各指掛部３０の寸法を小さくし）、各指掛部３０に指掛部３０の周囲のうち下端の一部を残すようにミシン目Ｍ１を入れた以外は、比較例１と同様に包装袋１００を作製した。比較例１の包装袋１００の各部の寸法（ｍｍ単位）は、図１０に示す。
【００５９】
これらの実施例及び比較例について、以下の試験方法により評価した。
［振り子試験］
１２個のロール状のトイレットペーパーＴ（大王製紙株式会社製の「エリエール  トイレットティシュー（シングル）」）を収納した包装袋１００の指掛部３０にユーザＰが片手の指を２本掛けて持ち、１８０°の範囲で振り子のように１０往復移動させた。このとき、包装袋１００の耐久性を以下の基準で評価した。なお、振り子試験は、各実施例及び比較例につき５回の試験を行った。
【００６０】
○：５回中１回も破損が確認できなかった
×：５回中１回以上破損を確認した
［指掛試験］
上記の振り子試験を１回行った後、１人のユーザＰにおける指へ締め付けの程度を下記の５段階で評価した。この場合、実施例及び比較例ごとに１０人により試験を行った結果を点数化し、その平均値から持ち易さを以下の基準で評価した。
【００６１】
５点：指への締め付けが全くない
４点：指への締め付けはごく小さい
３点：指への締め付けは小さい、
２点：指への締めが大きい
１点：指への締め付けが非常に大きい
【００６２】
【表１】
2018104084.tif 000003
表１より、指掛部３０の上方に、スリット４０（一対のスリット４１、４２）を設け、一対のスリット４１、４２の端部４１ａ、４２ａの上方に融着部７０を配置した場合（実施例１〜実施例３）、持ち易さの試験ではいずれも平均値が３以上となり、ユーザＰの指への締め付けが抑制され、結果となった。また、振り子試験では、いずれも包装袋が破れなかった。
【００６３】
これに対して、指掛部３０の上方に、スリット４０（一対のスリット４１、４２）及び融着部７０を配置しなかった場合（比較例１、比較例２）、持ち易さの試験ではいずれも平均値が３未満となり、ユーザＰの指への締め付けが大きい結果となった。また、振り子試験では、いずれも包装袋１００の持手２０が破れた。
【００６４】
これらの結果から、指掛部３０から持手２０の上端２１に向かって持手２０の長手方向に広がるように延びる一対のスリット４１、４２が設けられた包装袋１００は、ユーザＰの指の締め付けを抑制し、指への負担を軽減することができることが判った。また、一対のスリット４１、４２の端部４１ａ、４２ａの上方にさらに融着部７０が設けられた包装袋は、持手２０が破損し難いことが判った。
【００６５】
以上、本発明の実施形態について説明したが、本発明は特定の実施形態に限定されるものではなく、特許請求の範囲に記載された発明の範囲内において、種々の変形、変更が可能である。
【符号の説明】
【００６６】
１００  包装袋
１０  袋本体
２０  持手
２１  上端
３０  指掛部
４０（４１〜４４）  スリット
端部４１ａ
７０  融着部
７１  第１融着部
７２  第２融着部
Ｍ２  ミシン目
【図１】
2018104084.tif 000004
【図２】
2018104084.tif 000005
【図３】
2018104084.tif 000006
【図４】
2018104084.tif 000007
【図５】
2018104084.tif 000008
【図６】
2018104084.tif 000009
【図７】
2018104084.tif 000010
【図８】
2018104084.tif 000011
【図９】
2018104084.tif 000012
【図１０】
2018104084.tif 000013
【図１１】
2018104084.tif 000014
【図１２】
2018104084.tif 000015
【図１３】
2018104084.tif 000016